(57)【要約】  無線パーソナルエリアネットワーク上で無線通信デバイスのペアを生成するシステム及び方法は、無線アドレスの使用を通じて無線通信デバイスとマスターデバイス間の通信を可能にする。無線通信の各々に関連付けられたバーコードをマスターデバイスによって走査する。走査されたバーコードは、走査されたバーコードに関連付けられる無線アドレスに変換される。マスターデバイスに関連付けられるソフトウェアは、無線アドレスの使用を通じてネットワークデバイスとマスターデバイス間の通信を可能にする。無線パーソナルエリアネットワーク上のネットワークデバイスのペアを生成する方法及びシステムは、複数の無線パーソナルエリアネットワークが限定された空間内に存在する場合に、ネットワークデバイスのペアをより高速且つより効率的に生成することを可能にする。
2007502093.tif 000002
【特許請求の範囲】
【請求項１】
各ネットワークデバイスが通信無線を備え、無線パーソナルエリアネットワーク上で該ネットワークデバイスのペアを生成するシステムであって、
マスターデバイスと、
前記ネットワークデバイスの無線アドレスを表す可読データをその外部に備えた１以上のネットワークデバイスと、
少なくとも一つのネットワークデバイスの前記可読情報を走査するスキャナ及びマスター無線を備えた前記マスターデバイスと、
前記マスタデバイスと関連付けられ、走査されたネットワークデバイスの各々と関連付けられる前記可読情報を保存するメモリストレージとを有し、
前記マスターデバイスは、前記マスターデバイスと前記走査されたネットワークデバイスが通信可能なように、前記マスター無線と走査されたネットワークデバイスの各々についての前記通信無線間の無線接続を確立する能力を有するシステム。
【請求項２】
前記可読情報はラベルに保持される、請求項１に記載のシステム。
【請求項３】
前記マスターデバイスは、少なくとも一つのネットワークデバイスの前記ラベルを走査する、請求項１に記載のシステム。
【請求項４】
スキャンされたネットワークデバイスの各々についての無線アドレスは、前記マスターデバイスの通信ポートと関連付けられる、請求項２に記載のシステム。
【請求項５】
前記ラベルはバーコードである、請求項１に記載のシステム。
【請求項６】
前記マスターデバイスは、マスターバーコードラベルを備える、請求項１に記載のシステム。
【請求項７】
前記マスターデバイスは、個人携帯情報端末（ＰＤＡ）である、請求項１に記載のシステム。
【請求項８】
少なくとも一つの無線ネットワークデバイスはプリンタを含む、請求項１に記載のシステム。
【請求項９】
少なくとも一つの無線ネットワークデバイスは電話を含む、請求項１に記載のシステム。
【請求項１０】
少なくとも一つの無線ネットワークデバイスはスマートフォンを含む、請求項１に記載のシステム。
【請求項１１】
少なくとも一つの無線ネットワークデバイスはプリンタを含む、シリアルポートアダプタを含む、請求項１に記載のシステム。
【請求項１２】
少なくとも一つの無線ネットワークデバイスはヘッドセットを含む、請求項１に記載のシステム。
【請求項１３】
少なくとも一つの無線ネットワークデバイスはコンピュータ端末を含む、請求項１に記載のシステム。
【請求項１４】
少なくとも一つの無線ネットワークデバイスはラップトップコンピュータを含む、請求項１に記載のシステム。
【請求項１５】
少なくとも一つの無線ネットワークデバイスはカスタマーのコンピュータネットワーク上のパーソナルコンピュータを含む、請求項１に記載のシステム。
【請求項１６】
前記マスターデバイスと少なくとも一つの無線ネットワークデバイスは、ブルートゥース（登録商標）技術を用いて通信する、請求項１に記載のシステム。
【請求項１７】
マスターデバイスと少なくとも一つのネットワークデバイスを含む無線パーソナルエリアネットワークで情報を交換する方法であって、
マスターデバイスのスキャナを用いて、ネットワークデバイスにある可読情報を走査するステップと、
前記ネットワークデバイスに関する情報を前記マスターデバイスにおいて受信するステップと、
メモリデバイスと関連付けられたメモリストレージ設備に前記情報を保存するステップと、
前記受信した情報を用いて前記マスターデバイスと前記ネットワークデバイス間の接続を確立するステップと、
前記マスターデバイスによって、前記ネットワークデバイスと通信するステップと、
を有する方法。
【請求項１８】
さらに、走査されたネットワークデバイスの各々についての無線アドレスを前記マスターデバイスにある通信ポートに関連付けるステップを有する、請求項１７に記載の方法。
【請求項１９】
前記走査ステップは、バーコードラベルを走査することを含む、請求項１７に記載の方法。
【請求項２０】
前記走査ステップは、前記ラベルを走査する個人携帯情報端末（ＰＤＡ）を含む、請求項１７に記載の方法。
【請求項２１】
前記走査ステップは、プリンタのラベルを走査する前記マスターデバイスを含む、請求項１７に記載の方法。
【請求項２２】
前記走査ステップは、電話のラベルを走査する前記マスターデバイスを含む、請求項１７に記載の方法。
【請求項２３】
前記走査ステップは、スマートフォンのラベルを走査する前記マスターデバイスを含む、請求項１７に記載の方法。
【請求項２４】
前記走査ステップは、シリアルポートアダプタのラベルを走査する前記マスターデバイスを含む、請求項１７に記載の方法。
【請求項２５】
前記走査ステップは、ヘッドセットのラベルを走査する前記マスターデバイスを含む、請求項１７に記載の方法。
【請求項２６】
前記走査ステップは、コンピュータ端末のラベルを走査する前記マスターデバイスを含む、請求項１７に記載の方法。
【請求項２７】
前記走査ステップは、ラップトップコンピュータのラベルを走査する前記マスターデバイスを含む、請求項１７に記載の方法。
【請求項２８】
前記走査ステップは、カスタマのコンピュータネットワーク上のパーソナルコンピュータのラベルを走査する前記マスターデバイスを含む、請求項１７に記載の方法。
【請求項２９】
前記通信ステップは、ブルートゥース（登録商標）技術を用いて情報を交換する前記マスターデバイスとネットワークデバイスを含む、請求項１７に記載の方法。
【請求項３０】
組み込まれたデータ処理システムによって実行可能な複数の命令を備えたデータ処理システム可読媒体であって、該命令は、実行時に該データ処理システムに、
マスターデバイスによって少なくとも一つのネットワークデバイスから走査されたデータに関する、メモリストレージ設備に保存された情報を取り出させ、
前記情報を用いて、前記マスターデバイスのマスター無線と走査されたネットワークデバイスの各々の通信無線間の接続を確立させる、データ処理システム可読媒体。
【請求項３１】
前記接続は、ブルートゥース（登録商標）技術を用いて確立される、請求項３０に記載のデータ処理システム可読媒体。
【請求項３２】
前記情報は、各々のネットワークデバイスを一意に特定する無線アドレスである、請求項３０に記載のデータ処理システム可読媒体。
【請求項３３】
前記複数の命令は、実行時に前記データ処理システムに、走査されたネットワークデバイスの各々についての無線アドレスを前記マスターデバイスにある通信ポートに関連付けさせる、請求項３０に記載のデータ処理システム可読媒体。
【発明の詳細な説明】
【技術分野】
【０００１】
本発明は、一般にパーソナルエリアネットワークにおける電子デバイスのペアの生成に関し、より詳しくは、バーコードラベル及びスキャナの使用を通じ、無線技術（例えば、ブルートゥース（登録商標））を用いて、個人携帯情報端末（ＰＤＡ）などのデバイスと無線パーソナルエリアネットワーク上の他のデバイスとのペアを生成する方法及びシステムに関する。
【背景技術】
【０００２】
今日、無線パーソナルエリアネットワーク（ＷＰＡＮ）において、無線周波数チャンネルを通じて通信するデバイスは、“発見”として知られるプロセスを用いて互いに関連付ける。その発見プロセスでは、マスターデバイス又はリクエスタが、マスターデバイスの範囲内にある全てのデバイスのリストを生成する。デバイスの完全なリストが生成されると、ユーザは、自分のＷＰＡＮ内に含めるデバイスを選択する。そして、それらのデバイスの無線アドレスを、マスターデバイスの通信ポートと関連付ける。
【０００３】
図１は、発見法を用いたデバイスのペア生成の方法１００についてのフローチャートを示す。プロセスは、マスターデバイスの範囲にあり、マスターデバイスと通信可能な全てのネットワークデバイスについてマスターデバイスが探索するステージ１０２において開始される。ステージ１０４において、これら全てのネットワークデバイスの名前が特定され、例えばユーザに対するピックリストとしてマスターデバイス上に表示される。リクエスタの範囲内にあるデバイスの数により、全てのデバイスの探索及び特定は、数分間掛かることもある。ステージ１０６において、ユーザは、自分のＷＰＡＮに含めるべきそれらデバイスを選択するために、特定されたデバイスのリストをレビューする。ユーザは、自分のＷＰＡＮに含めるべき全てのデバイスを見つけられない場合、ステージ１０２及び１０４における探索と特定のプロセスを繰り返さなければならない（ステージ１０８）。全てのデバイスが特定されると、ユーザはそれらデバイスを選択し（ステージ１１０）、各デバイスの無線アドレスはマスターデバイスの通信ポートと関連付けられる（ステージ１１２）。マスターデバイスは、ネットワークデバイスと通信するためにブルートゥース（登録商標）技術を用いるＰＤＡであってもよい。代表的には、ネットワークデバイスは、プリンタ若しくはコンピュータのようなネットワークと関連付けられるデバイスであってもよい。
【０００４】
しかしながら、発見プロセスには、限界と欠点がある。例えば発見プロセスは、ユーザのＷＰＡＮに対して関係のあるデバイスをユーザが選択する以前に、マスターデバイスの範囲内にある全てのネットワークデバイスを特定することを必要とする。上記のように、このプロセスは数分を要することがあり、全てのデバイスが特定されない場合、又は多くのデバイスがマスターデバイスの範囲内の限定された空間に存在する場合、さらに延びる可能性がある。完全なリストは、他のユーザのＷＰＡＮに関連付けられるデバイスでありながら、ユーザのマスターデバイスの範囲内にあるデバイスのような、ユーザにとって無関係な多くのデバイスを含むこともある。さらに、制限された領域内に多くのユーザがいる場合、発見プロセスはそのユーザのＷＰＡＮ間の干渉によって時間を浪費し、扱い難くなることがある。
【０００５】
それ故、ユーザの無線パーソナルエリアネットワークに対するデバイスの関連付けについて、より効率良く、且つ消費時間が少ない無線パーソナルエリアネットワーク内のデバイスのペアを生成するシステム及び方法を提供することが望まれている。
【発明の開示】
【０００６】
本発明によると、無線パーソナルエリアネットワーク上で通信無線を備える各ネットワークデバイスのペアを生成する向上したシステム及び方法が提供される。ネットワークは、スキャナ及びマスタ無線を備えるマスターデバイスを含む。スキャナは、走査されるラベルから読み取られる情報に基づいて、走査されるネットワークデバイスの各々と関連付けられるラベルを走査することにより、少なくとも一つのネットワークデバイスを走査する。システムはマスターデバイスと関連付けられるメモリストレージも有し、そのメモリストレージは走査されたネットワークデバイスの各々と関連付けられた無線アドレスを保存する。マスターデバイスは、マスターデバイスと走査されたネットワークデバイスが通信可能なように、マスター無線と走査されたネットワークデバイスの各々についての通信無線間の無線接続を確立することができる。ラベルは無線アドレスを決定する情報を備え、それはバーコードラベルであってもよい。
【０００７】
無線パーソナルエリアネットワーク上で情報を交換する方法も提供される。その方法は、マスターデバイスのスキャナを用いて、ネットワークデバイスにあるラベル（例えば、バーコードラベル）を走査し、ネットワークデバイスに関する情報をマスターデバイスにおいて受信し、メモリデバイスと関連付けられるメモリストレージ設備に情報を保存し、受信した情報を用いてマスターデバイスとネットワークデバイス間の接続を確立し、マスターデバイスによって、ネットワークデバイスと通信することを含む。
【０００８】
そこに組み込まれたデータ処理システムによって実行可能な複数の命令を備えたデータ処理システム可読媒体も提供される。その命令は、実行時に、データ処理システムにマスターデバイスによって少なくとも一つのネットワークから走査されたデータに関してメモリストレージ設備に保存された情報を取り出させる。命令は、その情報を用いて、マスターデバイスのマスター無線と走査されたネットワークデバイスの各々の通信無線間の接続を確立する。
【０００９】
さらなる特徴及び利点を、以下の記述において説明する。そしてそれらは以下の記述から明らかとなるか、特許請求の範囲への実践で学習され得る。その特徴及び利点は、添付の特許請求の範囲において特に指摘したエレメントおよび組み合わせを用いて実現され、成し遂げられるであろう。
【発明を実施するための最良の形態】
【００１０】
この明細書の一部を構成し、組み込まれる添付の図面は、詳細な説明とともに本発明の実施形態を示し、本発明の原理を説明するのに有用である。
上記の一般的説明及び下記の詳細な説明の両方は典型例であり、単なる説明であって、特許請求の範囲のように本発明を限定するものではないことを理解されたい。
【００１１】
ここで図を参照すると、図２は、無線ネットワーク上でネットワークデバイスのペアを生成する方法２００のフローチャートであり、なお同じ参照番号は各図を通じて同一若しくは類似の部分を参照するために用いられる。ステージ２０２において、無線ネットワーク上でネットワークデバイスのペアを生成する方法は開始され、マスターデバイスと１以上のネットワークデバイスの電源が投入される。マスターデバイスとネットワークデバイスの電源投入は、マスターデバイスとネットワークデバイス内にある無線を起動する。ステージ２０４において、ユーザはマスターデバイスへログオンする。ユーザは、マスターデバイスにおいてペアを生成するアプリケーションと、マスターデバイスにおいてマスターデバイスの無線によって使用される通信ポートを選択する（ステージ２０６）。例えば、ペアを生成するアプリケーションは、ＰＤＡ（配送車を用いた配送業者用ＰＤＡなど）とコンピュータ（配送車内のコンピュータなど）間の通信のセットアップを含んでもよい。他のペアを生成するアプリケーションは、荷物の配送及び追跡に使用される、荷物に貼る航空貨物受取証のタグをプリントするプリンタとＰＤＡ間の通信をセットアップするものでもよい。
【００１２】
ステージ２０８において、ユーザはラベルの読み取りに使用可能なマスターデバイスのスキャナを用いてネットワークデバイスの各々に配置されたラベルを走査する。ユーザは、自分の無線パーソナルエリアネットワーク（“ＷＰＡＮ”）内に含めることを望むそれらネットワークデバイスのラベルを走査するでけでよい。ラベルは、走査されるネットワークデバイスと関連付けられる無線アドレスのような情報を含むバーコードラベルであってもよい。
【００１３】
好ましい実施形態において、バーコードラベルはネットワークデバイスの具体的な無線アドレスを含み、そのためマスターデバイスは直接無線アドレスを読み取ることができる。無線アドレスを特定する読み取り可能な情報又は無線アドレスと関連付けられる読み取り可能な情報を備える他のラベルを使用することもできる。ステージ２１０において、走査されたネットワークデバイスの各々についての無線アドレスは、マスターデバイスのメモリストレージに保存される。別の実施形態では、読み取られる情報をマスターデバイスのメモリにある無線アドレスと対応させることができる。例えば、マスターデバイスがデバイス番号１の無線が所定のアドレスであることを知っており、それはマスターデバイスのメモリに保存されている場合、読み取られる情報を番号１とすることができる。
【００１４】
ステージ２１２において、マスターデバイスのソフトウェアコンポーネントは、マスターデバイスと走査された各ネットワークデバイス間の通信又は情報の交換を可能にするために、マスターデバイスと走査された各ネットワークデバイス間の無線通信接続（“ペアの生成”）を確立する。バーコードラベルは、公知の代表的なＵＰＣバーコードラベルであってもよく、また他のタイプの読み取り可能ラベル若しくはデバイスのマークを用いてもよい。
【００１５】
マスターデバイスは、ラベル又は他のマーク若しくはシンボルを走査する能力を有する如何なるデバイスであってもよく、例えば、ブルートゥース（登録商標）技術を用いたスキャナを備えたデバイス又はＰＤＡであってもよい。ネットワークデバイスも、ブルートゥース（登録商標）又は他の通信能力を備えた如何なるデバイスを含んでもよく、例えばプリンタ、コンピュータ、携帯電話、コンピュータ及びラジオ、若しくは他のその様なデバイスを含んでもよい。
【００１６】
図３は、無線パーソナルエリアネットワーク上でネットワークデバイスのペアを生成するシステム３００を示す。システム３００は、マスターデバイス３０２及びネットワークデバイス３０４１〜３０４ｎを含む。マスターデバイス３０２は、スキャナ３０６、無線３０８、メモリストレージ３１０、ソフトウェアコンポーネント３１２及びラベル３１４を含む。ネットワークデバイス３０４１〜３０４ｎは、それぞれ、ラベル３１６１〜３１６ｎ及び無線３１８１〜３１８ｎを含む。
【００１７】
スキャナ３０６を用いて、マスターデバイス３０２はデバイス３０４１〜３０４ｎから１以上のラベル３１６１〜３１６ｎを走査し又は読み取る。ラベル３１６１〜３１６ｎは、それぞれ、個々のデバイス３０４１〜３０４ｎを特定するデータ又は情報を保持するバーコードラベルであってもよい。その特定する情報は、公知の代表的な近距離無線で使用される無線アドレスであってもよい。無線３０８及び３１８１〜３１８ｎは、各々がマスターデバイス３０２若しくはデバイス３０４１〜３０４ｎを一意に定義する無線アドレスを備えた近距離無線であってもよい。各無線アドレスは一意であるため、各ラベル３１６１〜３１６ｎも一意となる。上記のように、バーコードラベルは、公知の代表的なＵＰＣバーコードラベル若しくは他のタイプの読み取り可能ラベル、マーク又はシンボルであってもよい。
【００１８】
走査された各ラベル３１６１〜３１６ｎの情報は、メモリストレージ３１０にその情報を保存することによりマスターデバイス３０２にセーブされる。例えば、走査されたデバイス３０４１〜３０４ｎの各々に対する無線アドレスが、メモリストレージ３１０に保存される。マスターデバイス３０２は、走査されたデバイス３０４１〜３０４ｎの各々を特定し、通信するために、走査されたデバイス３０４１〜３０４ｎについて保存された情報を使用する。
【００１９】
マスターデバイス３０２は、メモリストレージ３１０に保存された情報を用いることにより、走査されたデバイス３０４１〜３０４ｎの各々と通信する。マスターデバイス３０２は、走査されたデバイス３０４１〜３０４ｎの各々と接続を確立するためにソフトウェアコンポーネント３１２を使用する。ソフトウェアコンポーネント３１２は、接続を確立するために保存された情報（例えば走査されたデバイス３０４１〜３０４ｎの各々についての無線アドレス）を使用する。接続は、マスターデバイス３０２の無線３０８が無線３１８１〜３１８ｎの一つを通じて所望の走査されたデバイス３０４１〜３０４ｎと通信するときに確立される。一度接続が確立されると、マスターデバイス３０２は走査されたデバイス３０４１〜３０４ｎの何れかと情報を交換することができ、又はその逆も可能である。
【００２０】
図４は、マスターデバイスと１以上のネットワークデバイス間の接続プロセスのフローチャートを示す。ステージ４０２において、接続プロセスは開始され、マスターデバイスの電源が投入される。ステージ４０４において、マスターデバイスはネットワークデバイスの追加についてのユーザプロンプトを表示する。ユーザがネットワークデバイスの追加を望まない場合、プロセスは完了する（ステージ４０６）。ユーザがネットワークデバイスの追加を望む場合、ステージ４０８において、ネットワークデバイスのラベルからデータを取得する（データ取得ピリオド）。上記のように、ラベルはＵＰＣバーコードラベルの形式でもよい。ステージ４１０において、マスターデバイスは、（ネットワークデバイスを一意に特定する無線アドレスのような）ラベルの情報が有効なアドレスかどうか確認する。無線アドレスが有効でない場合、データ不良がユーザに示され、プロセスはステージ４０４へ戻る（ステージ４１２）。無線アドレスが有効な場合、ステージ４１４において無線アドレスはオペレーティングシステムのレジストリに保存される。ステージ４１６において、レジストリが通信ポートに対してマップされ、そしてマスターデバイスの通信ポートは着目するネットワークデバイスの通信ポートと関連付けられる。マップ機能及びオペレーティングシステムは、上記のようにソフトウェアコンポーネント３１２を用いて実行することができる。ソフトウェアコンポーネント３１２の詳細は後で提供する。ステージ４１８において、無線接続が初期化される。上記のように、公知で且つ当業者に使用されるブルートゥース（登録商標）技術を用いて無線接続を利用することができる。しかし本発明は、この形式の通信に限定されるものではない。ステージ４２０において、接続に成功した場合、プロセスは、ユーザが他のネットワークデバイスを追加できるようにステージ４０４へ戻る。ステージ４２０において接続に失敗した場合、ステージ４１２において、接続失敗がユーザに示され、プロセスはステージ４０４へ戻る。
【００２１】
ステージ４１４及び４１６は、ソフトウェアコンポーネント３１２のようなマスターデバイスにあるソフトウェアを使用する。図３を参照すると、ソフトウェアコンポーネント３１２は、ユーザがデータ取得ピリオドを開始することを可能にするコードフラグメントを利用してもよい。コードフラグメントは、Ｃ言語を用いてプログラムしてもよい。ソフトウェアコンポーネント３１２は、一連の命令を備えるデータ処理システム可読媒体であってもよい（例えば、その媒体はＣ言語でプログラムされたソフトウェアコードを保持するメモリ形式である）。一連の命令は、データ処理システム（例えば、マスターデバイス３０２）によって実行される。ソフトウェアコンポーネント３１２は、マスターデバイス３０２とネットワークデバイス３０４１〜３０４ｎの論理通信ポートの関連付けを可能にするコンピュータオペレーティングシステムであってもよい。例えば、ソフトウェアコンポーネント３１２は、ポケットＰＣなどのマイクロソフト（登録商標）ベースのオペレーティングシステムであってもよい。ただしソフトウェアコンポーネント３１２は、それに限定されるものではない。パームオペレーティングシステムのような、他のオペレーティングシステムをマスターデバイス３０２とネットワークデバイス３０４１〜３０４ｎ間の通信に使用してもよい。
【００２２】
データ取得ピリオドは、マスターデバイス３０２がラベル３１６１〜３１６ｎの情報を走査するときの時間としてもよい。データ取得ピリオドの後、データはメモリストレージ３１０に保存される。メモリストレージ３１０は、ラベル３１６１〜３１６ｎから取得されたデータ若しくは情報が存在するレジストリの形式であってもよい。取得されたデータは、ネットワークデバイス３０４１〜３０４ｎの各々についてのデータがソフトウェアコンポーネント３１２によってネットワークデバイス３０４１〜３０４ｎの各々と結び付けられるような方法で存在する。ラベル３１６１〜３１６ｎの各々は、それぞれ、走査されたデバイス３０４１〜３０４ｎの各々と一意に関連付けられるので、ソフトウェアコンポーネント３１２は、レジストリ（例えば、メモリストレージ３１０）においてネットワークデバイス３０４１〜３０４ｎの各々について存在するデータをデバイス３０４１〜３０４ｎの各々と関連付けることができる。レジストリに存在するデータを用いて、ソフトウェアコンポーネント３１２は、マスターデバイス３０２の論理通信ポートと走査されたデバイス３０４１〜３０４ｎの論理通信ポート間の関連付けを行う。これは、マスターデバイス３０２が走査されたデバイス３０４１〜３０４ｎの何れかと通信することを可能にする。システム３００は、デバイス間の通信を可能にする公知の技術若しくは後に開発される技術を利用することができる。その様な技術は、ブルートゥース（登録商標）技術など、デバイスが無線で通信し、情報を交換することを可能とし、今日当業者に知られ、使用されている。
【００２３】
マスターデバイス３０２は、ＰＤＡのような、スキャナ３０６を有する電子携帯機器であってもよい。スキャナ３０６は、ブルートゥース（登録商標）技術を用いてネットワークデバイス３０４１〜３０４ｎのラベル３１６１〜３１６ｎを読み取ってもよい。これは、ＰＤＡがネットワークデバイス３０４１〜３０４ｎの一つ又は全てと接続することを可能にする。例えば、ネットワークデバイス３０４１〜３０４ｎの一つはプリンタであってもよい。いくつかある機能の中で、ＰＤＡはプリンタに対して荷物に関する情報を転送し、そしてプリンタは荷物に貼る航空貨物受取証のタグをプリントする。航空貨物受取証のタグは、その荷物を他の荷物から一意に特定することができ、追跡目的で使用してもよい。ＰＤＡのオペレータは荷物配送サービスの配送業者であってもよい。他のネットワークデバイスは、配送業者によって使い古されたヘッドセット、電話、スマートフォン、カスタマーのコンピュータネットワーク上のパーソナルコンピュータ、若しくはシリアルポートアダプタを含む。しかしネットワークデバイスは、これらに限られるものではない。シリアルポートアダプタは、配送業者が使用する配送車に存在し得る他の装置、例えばコンピュータターミナル若しくはラップトップコンピュータとの接続を可能にする。さらに、マスターデバイス３０２は、他のユーザのＷＰＡＮにおける他のマスターデバイスと通信することも可能である。この目的のために、マスターデバイス３０２はラベル３１４を含んでもよい。
【００２４】
ここに開示された明細書の検討及び特許請求の範囲の実践から、他の実施形態も当業者にとって明らかであろう。明細書及び例は、単なる典型として考慮され、真の特許請求の範囲及び精神は特許請求の範囲に示される。
【図面の簡単な説明】
【００２５】
【図１】発見法を用いた無線通信デバイスのペアを生成する方法のフローチャートである。
【図２】本発明に従う無線通信デバイスのペアを生成する方法のフローチャートである。
【図３】本発明に従う無線通信デバイスのペアを生成するシステムを示す図である。
【図４】マスターデバイスとネットワークデバイス間の通信を確立するプロセスのフローチャートである。
【図１】
2007502093.tif 000003
【図２】
2007502093.tif 000004
【図３】
2007502093.tif 000005
【図４】
2007502093.tif 000006
【国際調査報告】
2007502093.tif 000007
2007502093.tif 000008